(57)【要約】【課題】図柄煽り演出の趣向性を向上させることが可能な遊技機を提供すること。【解決手段】複数の識別図柄群１０ｇのうち、最初に変動が停止する識別図柄群１０ｇに含まれる複数種の識別図柄１０のうちの一つである演出対象図柄１０Ｔが、当該識別図柄群１０ｇから選択されて示される選択決定図柄１０Ｃとなるか否かを示す図柄煽り演出が実行可能であり、前記図柄煽り演出にて前記演出対象図柄１０Ｔとなりうる図柄として複数の候補図柄１０Ｋが設定されており、前記図柄煽り演出において前記複数の候補図柄１０Ｋのうちの一部である特定候補図柄１０Ｋａが前記演出対象図柄１０Ｔとなる蓋然性が、当該特定候補図柄１０Ｋａ以外の候補図柄である通常候補図柄１０Ｋｂが前記演出対象図柄１０Ｔとなる蓋然性よりも低く設定されている遊技機１とする。【選択図】図４
2020000786.tif 000002
【特許請求の範囲】
【請求項１】
複数種の識別図柄を含む識別図柄群が複数設定され、各識別図柄群から選択されて表示装置に示される識別図柄の組み合わせにより当否判定結果が報知される遊技機であって、
前記複数の識別図柄群のうち、最初に変動が停止する識別図柄群に含まれる複数種の識別図柄のうちの一つである演出対象図柄が、当該識別図柄群から選択されて示される選択決定図柄となるか否かを示す図柄煽り演出が実行可能であり、
前記図柄煽り演出にて前記演出対象図柄となりうる図柄として複数の候補図柄が設定されており、
前記図柄煽り演出において前記複数の候補図柄のうちの一部である特定候補図柄が前記演出対象図柄となる蓋然性が、当該特定候補図柄以外の候補図柄である通常候補図柄が前記演出対象図柄となる蓋然性よりも低く設定されていることを特徴とする遊技機。
【発明の詳細な説明】
【技術分野】
【０００１】
本発明は、遊技機に関する。
【背景技術】
【０００２】
当否判定結果を示す複数種の図柄について、ある図柄が選択されて示されるかもしれないという「煽り」を行う演出（図柄煽り演出）が公知である（例えば、下記特許文献１の段落００５２等参照）。
【先行技術文献】
【特許文献】
【０００３】
【特許文献１】特開２０１７−１２４３２４号公報
【発明の概要】
【発明が解決しようとする課題】
【０００４】
本発明が解決しようとする課題は、図柄煽り演出の趣向性を向上させることが可能な遊技機を提供することにある。
【課題を解決するための手段】
【０００５】
上記課題を解決するためになされた本発明にかかる遊技機は、複数種の識別図柄を含む識別図柄群が複数設定され、各識別図柄群から選択されて表示装置に示される識別図柄の組み合わせにより当否判定結果が報知される遊技機であって、前記複数の識別図柄群のうち、最初に変動が停止する識別図柄群に含まれる複数種の識別図柄のうちの一つである演出対象図柄が、当該識別図柄群から選択されて示される選択決定図柄となるか否かを示す図柄煽り演出が実行可能であり、前記図柄煽り演出にて前記演出対象図柄となりうる図柄として複数の候補図柄が設定されており、前記図柄煽り演出において前記複数の候補図柄のうちの一部である特定候補図柄が前記演出対象図柄となる蓋然性が、当該特定候補図柄以外の候補図柄である通常候補図柄が前記演出対象図柄となる蓋然性よりも低く設定されていることを特徴とする。
【発明の効果】
【０００６】
本発明にかかる遊技機によれば、図柄煽り演出の趣向性を向上させることが可能である。
【図面の簡単な説明】
【０００７】
【図１】本実施形態にかかる遊技機の正面図である。
【図２】表示装置（表示領域）に表示された識別図柄および保留図柄を示した図である。
【図３】図柄煽り演出の一例（候補図柄が通常候補図柄である例）を示した図である。
【図４】図柄煽り演出の一例（候補図柄が特定候補図柄である例）を示した図である。
【図５】候補図柄を説明するための図である。
【図６】（ａ）は複数種の識別図柄に設定された「所定の順」を、（ｂ）は特定識別図柄と通常識別図柄を分けて示した図である。
【図７】（ａ）は特定識別図柄と通常識別図柄の差（遊技者にとっての利益の差）を説明するための図であり、（ｂ）は特殊演出の一例を示した図である。
【発明を実施するための形態】
【０００８】
以下、本発明にかかる遊技機１の一実施形態について図面を参照して詳細に説明する。まず、図１を参照して遊技機１の全体構成について簡単に説明する。
【０００９】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１０】
遊技領域９０２には、表示装置９１、始動入賞口９０４、大入賞口９０６、アウト口９０７などが設けられている。かかる表示装置９１の表示領域９１１は、遊技盤９０に形成された開口９０１を通じて視認可能となる領域である。なお、表示領域９１１の形状等は適宜変更可能である（開口９０１の形状や大きさ、表示装置９１自体の形状や大きさを変更することで表示領域９１１の形状等を変更することができる）。
【００１１】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１２】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００１３】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（当否判定情報）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留と称することもある）の最大の記憶数（最大保留数）は適宜設定することができる。本実施形態における記憶手段が記憶できる最大保留数は、一種の始動入賞口９０４につき四つである。記憶手段に上記数値（当否判定情報）が記憶されていることは、保留図柄８０として表示される（図２参照。図２以外の図面においては保留図柄８０の図示を省略する）。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００１４】
なお、遊技機１の枠体、遊技球を貯留する下皿や上皿など、本発明に関係のない遊技機１の構成要素は説明を省略する。これらについては公知の遊技機と同様の構造のものが適用できる。
【００１５】
本実施形態では、公知の遊技機と同様に、表示装置９１の表示領域９１１に表示される識別図柄１０（図２参照）の組み合わせによって当否判定結果を遊技者に報知する。具体的には、複数種の識別図柄１０を含む識別図柄群１０ｇ（左識別図柄群１０ｇＬ、中識別図柄群１０ｇＣ、右識別図柄群１０ｇＲ）が変動を開始し、最終的に各識別図柄群１０ｇから一の識別図柄１０が選択されて停止する。大当たりに当選している場合には各識別図柄群１０ｇから選択されて停止した識別図柄１０の組み合わせは所定の組み合わせ（例えば、同じ識別図柄１０の三つ揃い）となる。はずれである場合にはそれ以外（大当たりとなる組み合わせ以外）の組み合わせとなる。基本的には、識別図柄群１０ｇの変動は、左識別図柄群１０ｇＬ、右識別図柄群１０ｇＲ、中識別図柄群１０ｇＣの順で停止することになる。
【００１６】
識別図柄１０についてより詳しく説明する。本実施形態における各識別図柄１０は、主要素部１１と当該主要素部１１に付随する副要素部１２を含む。主要素部１１は「数字」の部分であり、副要素部１２は「キャラクタ」の部分である（図２参照）。基本的には、遊技者は、主要素部１１である数字の違いにより、識別図柄１０の種類を判別することになる。本実施形態では、「１」〜「９」のいずれかの数字を主要素部１１として含む九種類の識別図柄１０が設定されている。基本的には、各識別図柄群１０ｇは、当該九種類の識別図柄１０を含む。ただし、各識別図柄群１０ｇに含まれる識別図柄１０の種類が増減するような特殊な演出が発生することがあってもよい。副要素部１２としてのキャラクタは、識別図柄１０の種類に合わせて九種類設定されている。本実施形態では、「１」の数字を含むものに対し「Ａ」のキャラクタが、「２」の数字を含むものに対し「Ｂ」のキャラクタが・・・「９」の数字を含むものに対し「Ｉ」のキャラクタがといったように、数字とキャラクタが対応づけられている。ある一種の識別図柄１０は、当該数字とキャラクタが組み合わされて（一体となって）表示されるものである。
【００１７】
当否判定結果を報知する演出として、種々の演出が実行される。本実施形態では、当該演出の一種として、図柄煽り演出（図３および図４参照）を実行することが可能である。すなわち、図柄煽り演出は、対象の当否判定結果を報知する一連の演出（識別図柄１０の変動開始から、当否判定結果を示す組み合わせで停止するまでの演出）の一部として発生しうるものである。
【００１８】
本実施形態における図柄煽り演出は、左識別図柄群１０ｇＬから選択されて示される識別図柄１０がどのようなものとなるかを強調して示す演出である。つまり、変動した状態にある左識別図柄群１０ｇＬの変動が停止（当該「停止」には、完全に停止する態様だけでなく、遊技者には停止したように見える擬似停止（例えば、わずかに揺れているような態様）を含むものとする。以下同じ）し、一つの識別図柄１０が選択されて示されることを「煽る」演出である。
【００１９】
図柄煽り演出に関する説明として、以下の用語を用いる。
【００２０】
図柄煽り演出にて、「煽り」の対象となる識別図柄１０を、「演出対象図柄１０Ｔ」とする。本実施形態では、左識別図柄群１０ｇＬから選ばれるのではないかと強調される識別図柄１０が「演出対象図柄１０Ｔ」である。例えば、「４」の数字を含む識別図柄１０が選ばれるのではないかというような図柄煽り演出が発生する場合、当該「４」の数字を含む識別図柄１０が「演出対象図柄１０Ｔ」となる（図３（ａ）参照）。演出対象図柄１０Ｔは、図柄煽り演出の発生の度に変化しうるものであるということもできる。
【００２１】
図柄煽り演出にて最終的に選択されて示される識別図柄１０を「選択決定図柄１０Ｃ」とする。本実施形態では、左識別図柄群１０ｇＬに含まれる一つの識別図柄１０が「選択決定図柄１０Ｃ」となる。「４」の数字を含む識別図柄１０が選ばれるのではないかというような図柄煽り演出が発生し、そのまま「４」の数字を含む識別図柄１０が選ばれた場合、当該識別図柄１０が「選択決定図柄１０Ｃ」となる（図３（ｂ）参照）。煽り演出は、演出対象図柄１０Ｔがそのまま選択決定図柄１０Ｃとして示されるかどうかの演出であるといえる。煽り演出が、演出対象図柄１０Ｔがそのまま選択決定図柄１０Ｃとして示される結末（以下、成功結末と称することもある）に至る場合は、「演出対象図柄１０Ｔ」＝「選択決定図柄１０Ｃ」となるということである（図３（ｂ）参照）。演出対象図柄１０Ｔとは異なる図柄が選択決定図柄１０Ｃとして示される結末（以下、失敗結末と称することもある）に至る場合は、「演出対象図柄１０Ｔ」≠「選択決定図柄１０Ｃ」となるということである（図３（ｃ）参照）。なお、成功結末に至ることが、失敗結末に至ることよりも、遊技者にとって有利な事象である必要はない。
【００２２】
図柄煽り演出において、上記演出対象図柄１０Ｔとなり得る識別図柄１０を、「候補図柄１０Ｋ」とする。本実施形態では、左識別図柄群１０ｇＬに含まれる九種類の識別図柄１０のうち、四種類の識別図柄１０が候補図柄１０Ｋとして設定されている。具体的には、主要素部１１として「２」「４」「６」「８」の数字を含む識別図柄１０、すなわち偶数の数字を含む四種類の識別図柄１０が候補図柄１０Ｋとして設定されている（図５参照）。つまり、本実施形態における図柄煽り演出は、これらの候補図柄１０Ｋのうちのいずれか一つが、左識別図柄群１０ｇＬから選ばれて示されるのではないかというような「煽り」が発生するものである。
【００２３】
また、当該候補図柄１０Ｋは、特定候補図柄１０Ｋａとそれ以外の候補図柄（以下、特定候補図柄１０Ｋａとの対比で通常候補図柄１０Ｋｂと称することもある）に区分けされる。本実施形態では、「２」の数字を含む識別図柄１０と「６」の数字を含む識別図柄１０が特定候補図柄１０Ｋａとして、「４」の数字を含む識別図柄１０と「８」の数字を含む識別図柄１０が通常候補図柄１０Ｋｂとして設定されている（図５参照）。
【００２４】
識別図柄群１０ｇが含む複数種（本実施形態では九種類）の識別図柄１０には、所定の順が設定されている。当該順は、識別図柄群１０ｇが変動表示される際の順、すなわち「変動順」である。本実施形態では、「１」の数字を含む識別図柄１０、「２」の数字を含む識別図柄１０、・・・「９」の数字を含む識別図柄１０、「１」の数字を含む識別図柄１０・・・というように、主要素部１１である数字の順が「所定の順」である（図６（ａ）参照）。つまり、識別図柄群１０ｇは、数字の順で切り替わるように変動表示される。
【００２５】
識別図柄群１０ｇが含む複数種の識別図柄１０のうちの一部は、特定識別図柄１０Ｓである。本実施形態における特定識別図柄１０Ｓは、「３」の数字を含む識別図柄１０と、「７」の数字を含む識別図柄１０である。上述した特定候補図柄１０Ｋａは、上記所定の順で、当該特定識別図柄１０Ｓの一つ前の識別図柄１０である。つまり、「３」の数字を含む識別図柄１０（特定識別図柄１０Ｓ）の一つ前の図柄である「２」の識別図柄１０、および「７」の数字を含む識別図柄１０（特定識別図柄１０Ｓ）の一つ前の図柄である「６」の識別図柄１０が、特定候補図柄１０Ｋａとして設定されている（図６（ｂ）参照）。特定識別図柄１０Ｓとそれ以外の識別図柄１０（以下、特定識別図柄１０Ｓとの対比で通常識別図柄１０Ｎと称することもある。本実施形態における通常識別図柄１０Ｎは、「１」「２」「４」「５」「６」「８」「９」の数字を含む識別図柄１０であるということになる）の違いは次のようなものである。
【００２６】
図柄煽り演出を経ずに、左識別図柄群１０ｇＬから選択されて示される識別図柄１０が特定識別図柄１０Ｓであることは、通常識別図柄１０Ｎであることよりも、遊技者に有利な事象として設定されている。本実施形態では、いわゆるリーチ態様（左の識別図柄１０と右の識別図柄１０が同じ種類の識別図柄１０となる態様）が成立した場合、当該リーチ態様が特定識別図柄１０Ｓによって構成されるとき（「３」または「７」のリーチが成立したとき）の方が、通常識別図柄１０Ｎによって構成されるとき（「３」と「７」以外のリーチが成立したとき）よりも、当否判定結果が大当たりとなる蓋然性（いわゆる（大当たり）信頼度）が高くなるように設定されている（図７（ａ）参照）。したがって、左の識別図柄１０として特定識別図柄１０Ｓが示されるということは、信頼度が高いリーチ態様が構成される可能性があるということになるため、左の識別図柄１０として通常識別図柄１０Ｎが示されることよりも、遊技者にとって有利な事象であるといえる。
【００２７】
これを踏まえ、本実施形態では、（図柄煽り演出を経ずに）左識別図柄群１０ｇＬから選択されて示される識別図柄１０が特定識別図柄１０Ｓである場合には、それを強調するため（遊技者に「チャンス」であることを示すため）の特殊演出を発生させる。換言すれば、当該特殊演出は、（図柄煽り演出を経ずに）左識別図柄群１０ｇＬから選択されて示される識別図柄１０が通常識別図柄１０Ｎである場合には発生しない演出であるということである。当該特殊演出の具体的態様はどのようなものであってもよい。本実施形態では、選択された特定識別図柄１０Ｓを通常時よりも目立つ態様（例えば、図柄の周囲が発光したかのような画像を表示する）とする特殊演出を発生させる（図７（ｂ）参照）。このような特殊演出が発生しない設定としてもよい。また、所定の条件を満たした場合に限り特殊演出が発生する設定としてもよい。例えば、いわゆる確率変動状態中においては特殊演出が発生するような設定としてもよい。
【００２８】
図柄煽り演出は、以下のような態様の演出である。左識別図柄群１０ｇＬに含まれる複数種の識別図柄１０のうちの一つが演出対象図柄１０Ｔとされる。具体的には、候補図柄１０Ｋ（「２」「４」「６」「８」）のうちのいずれかが演出対象図柄１０Ｔとされる。上述したように、候補図柄１０Ｋは、特定候補図柄１０Ｋａ（「２」「６」）と通常候補図柄１０Ｋｂ（「４」「８」）に区分けされる。本実施形態では、演出対象図柄１０Ｔが表示領域の左側で停止しそうになる「煽り」が実行される（図３（ａ）、図４（ａ）参照）。
【００２９】
本実施形態では、図柄煽り演出において、特定候補図柄１０Ｋａが演出対象図柄１０Ｔとなる蓋然性は、通常候補図柄１０Ｋｂが演出対象図柄１０Ｔとなる蓋然性よりも低く設定されている。つまり、図柄煽り演出では、後者の態様（図３（ａ）に示す態様）が発生するケースよりも前者の態様（図４（ａ）に示す態様）が発生するケースの方が少なくなるように設定されている。その理由は次のようなものである。
【００３０】
図柄煽り演出は、演出対象図柄１０Ｔが選択決定図柄１０Ｃとなることが成功結末（図３（ｂ）、図４（ｂ）参照）として、演出対象図柄１０Ｔが選択決定図柄１０Ｃとならないことが失敗結末（図３（ｃ）、図４（ｃ）参照）として設定されている。つまり、「煽り」の対象となった図柄がそのまま選択されるという結末に至るか、「煽り」の対象となった図柄が選択されないという結末に至るかの演出である。ここで、失敗結末となるときには、上述した所定の順で、演出対象図柄１０Ｔとなった識別図柄１０の一つ後の識別図柄１０が選択決定図柄１０Ｃとなるようにされる。例えば、「４」の数字を含む識別図柄１０が演出対象図柄１０Ｔとされる図柄煽り演出の失敗結末は、「５」の数字を含む識別図柄１０が選択決定図柄１０Ｃとなるようにされる（図３（ａ）（ｃ）参照）。図柄煽り演出の失敗結末は、停止しそうになった識別図柄１０（演出対象図柄１０Ｔ）、すなわち「煽り」の対象である図柄が結果的に停止しなかったことを示すものであるため、上記所定の順で「＋１」進行した図柄を選択決定図柄１０Ｃとして示さなければ演出の見た目が悪い（遊技者が違和感を覚えるおそれがある）。上記所定の順で「＋１」進行した図柄を選択決定図柄１０Ｃとして示すようにすれば、演出対象図柄１０Ｔが「一コマ」滑ることで、当該演出対象図柄１０Ｔの次の順の図柄が選択決定図柄１０Ｃとして示されたかのような態様とすることもでき、演出の流れが自然なものとなる。
【００３１】
このような設定であることを前提とすると、特定候補図柄１０Ｋａ（「２」または「６」）が演出対象図柄１０Ｔとなる図柄煽り演出が失敗結末となる場合、選択決定図柄１０Ｃとして「３」または「７」の数字を含む識別図柄１０、すなわち特定識別図柄１０Ｓが示されることになる（図４（ａ）（ｃ）参照）。なお、通常候補図柄１０Ｋｂ（「４」または「８」）が演出対象図柄１０Ｔとなる図柄煽り演出が失敗結末となる場合、選択決定図柄１０Ｃとしては「５」または「９」の数字を含む通常識別図柄１０Ｎが示されることになる（図３（ａ）（ｃ）参照）。
【００３２】
上述した通り、図柄煽り演出を経ずに左識別図柄群１０ｇＬから選択されて示される識別図柄１０が特定識別図柄１０Ｓである場合には、特殊演出（図７（ｂ）参照）を発生させる。つまり、左の識別図柄１０が「３」や「７」となることが「チャンス」であることを示す演出が発生する。しかし、図柄煽り演出が失敗結末となることで左の識別図柄１０が「３」や「７」となることは、煽りの対象である「２」や「６」の図柄（特定候補図柄１０Ｋａ）が停止しなかった結果として生じるものであって、「チャンス」ではない。事実、本実施形態では、特定候補図柄１０Ｋａが演出対象図柄１０Ｔとなる図柄煽り演出が失敗結末となった後は、特殊演出を発生させず、そのまま当否判定結果がはずれであることを示す識別図柄１０の組み合わせが表示され、リーチ態様（「３」や「７」のリーチ）が成立することがないように設定されている。
【００３３】
このように、特定候補図柄１０Ｋａが演出対象図柄１０Ｔとなる図柄煽り演出が失敗結末となって、「３」や「７」の数字を含む識別図柄１０が選択決定図柄１０Ｃとして示されることは、遊技者が「チャンス」であると誤認してしまうおそれがあるから、このようなケースが発生する頻度を抑えることが好ましいといえる。そのため、本実施形態では、図柄煽り演出において、特定候補図柄１０Ｋａが演出対象図柄１０Ｔとなる蓋然性を、通常候補図柄１０Ｋｂが演出対象図柄１０Ｔとなる蓋然性よりも低く設定している。
【００３４】
図柄煽り演出が成功結末となった場合、選択決定図柄１０Ｃとして示された識別図柄１０に応じた演出（以下、事後演出と称する）が発生する。本実施形態では、選択決定図柄１０Ｃとして示された識別図柄１０が含む副要素部１２に応じた事後演出が発生する。上述した通り、副要素部１２は「キャラクタ」の部分である。演出対象図柄１０Ｔとなりうる候補図柄１０Ｋ（識別図柄１０）は「キャラクタＢ」「キャラクタＤ」「キャラクタＦ」「キャラクタＨ」のいずれかを含むものであるから、選択決定図柄１０Ｃとして示された識別図柄１０が含むキャラクタに応じた事後演出が発生する。事後演出の一例としては、味方側キャラクタが、上記いずれかのキャラクタを敵キャラクタとして戦ういわゆる「バトル演出」を例示することができる。つまり、事後演出は、図柄煽り演出にて演出対象図柄１０Ｔとされる候補図柄１０Ｋの種類に応じて変化することになるから、遊技者は、図柄煽り演出にて演出対象図柄１０Ｔとされる図柄の種類に注目することになる。なお、図柄煽り演出が成功結末となった後、所定の条件を満たした場合に限り事後演出が発生するようにしてもよい。例えば、選択決定図柄１０Ｃとして示された識別図柄１０（左の識別図柄１０）と、その後停止する右の識別図柄１０が同じ種類の識別図柄１０となったとき（すなわちリーチ態様が構成されたとき）に、事後演出が発生するようにしてもよい。
【００３５】
以上説明したように、本実施形態における図柄煽り演出では、演出対象図柄１０Ｔとなりうる複数の候補図柄１０Ｋ（特定候補図柄１０Ｋａと通常候補図柄１０Ｋｂを含む）が設定されているところ、特定候補図柄１０Ｋａが演出対象図柄１０Ｔとなる蓋然性が、通常候補図柄１０Ｋｂが演出対象図柄１０Ｔとなる蓋然性よりも低く設定されている。つまり、「煽り」の対象となる図柄の種類に偏りがあることによる面白さがあるといえる。
【００３６】
また、特定候補図柄１０Ｋａが演出対象図柄１０Ｔとなる蓋然性が低いということは、図柄煽り演出が失敗結末となったときに特定識別図柄１０Ｓが示されてしまう状況（図４（ｃ）に示すような状況）が生ずる頻度が低いということである。そのため、図柄煽り演出の失敗結末時に特定識別図柄１０Ｓが頻繁に示されることで、当該特定識別図柄１０Ｓが「チャンス」図柄であると遊技者が感じにくくなってしまうおそれを低減することが可能である。
【００３７】
以下、上記実施形態にかかる遊技機１を改良、変形、具体化等した具体例について説明する。なお、以下の具体例を用いて説明する技術的事項を複数組み合わせて適用した構成としてもよい。
【００３８】
○第一具体例
特定候補図柄１０Ｋａ（「２」や「６」の数字を含む識別図柄１０）が演出対象図柄１０Ｔとなる図柄煽り演出は、失敗結末とならないようにする。つまり、演出対象図柄１０Ｔが選択決定図柄１０Ｃとなる成功結末しか発生しないような設定とする。図４（ａ）に示すような「煽り」が発生した場合には、図４（ｂ）のような成功結末しか発生しない（図４（ｃ）のような状況に移行しない）ようにするということである。このようにすることで、図柄煽り演出が実行された結果、特定識別図柄１０Ｓ（「３」や「７」の数字を含む識別図柄１０）が示されてしまうことがなくなる。
【００３９】
なお、通常候補図柄１０Ｋｂ（「４」や「８」の数字を含む識別図柄１０）が演出対象図柄１０Ｔとなる図柄煽り演出（図３に示す図柄煽り演出）は、失敗結末となる場合があるものとされる。このようにすることで、図柄煽り演出全体でみれば、失敗結末となる可能性もある演出であるということになるから、常に演出対象図柄１０Ｔが選択決定図柄１０Ｃとなる演出であるかのような印象を遊技者に与えることは避けられる。
【００４０】
○第二具体例
上記実施形態では、図柄煽り演出の対象となる識別図柄群１０ｇは、左識別図柄群１０ｇＬであること（最初に変動が停止する識別図柄群１０ｇであること）を説明したが、当該演出の対象となる識別図柄群１０ｇは適宜変更可能である。図柄煽り演出が発生しないときに、当該対象の識別図柄群１０ｇから選択されて示された識別図柄１０が特定識別図柄１０Ｓであることは、通常識別図柄１０Ｎであることに比して遊技者に有利な事象として設定されたものであればよい。
【００４１】
○第三具体例
図柄煽り演出を経ずに、ある識別図柄群１０ｇ（図柄煽り演出の対象の識別図柄群１０ｇ）から選択されて特定識別図柄１０Ｓが示された場合、大当たりが確定する設定とする。例えば、特定識別図柄１０Ｓとして「７」の数字を含む識別図柄１０が設定されている場合、左識別図柄群１０ｇＬから選択された図柄が当該特定図柄である場合、大当たりが確定する設定とする。
【００４２】
このような構成であると、特定識別図柄１０Ｓが示されたとき、遊技者が大当たり確定であると感じてしまうおそれがあることから、図柄煽り演出の失敗結末として、特定識別図柄１０Ｓが示される頻度が低くなるようにするとよい。好ましくは、上記第一具体例にて説明したように、特定候補図柄１０Ｋａが演出対象図柄１０Ｔとなる図柄煽り演出は、失敗結末とならないようにするとよい。
【００４３】
なお、特定識別図柄１０Ｓが示されたときに大当たりが確定するのは、特定の遊技状態に限る設定であってもよい。例えば、通常の遊技状態に比して大当たりに当選する確率が高い、いわゆる確率変動状態中に限る設定としてもよい。
【００４４】
○第四具体例
上記実施形態では、特定識別図柄１０Ｓとして二つの識別図柄（「３」または「７」の数字を含む識別図柄１０）が設定されていることを説明したが、特定識別図柄１０Ｓの数は適宜増減可能である。一つの特定識別図柄１０Ｓが設定された構成としてもよい。特定候補図柄１０Ｋａは、上記所定の順で特定識別図柄１０Ｓの一つ前の図柄であるから、特定識別図柄１０Ｓの数と同じとされる。つまり、一つの特定識別図柄１０Ｓが設定されているのであれば、一つの特定候補図柄１０Ｋａが設定されることとなる。
【００４５】
以上、本発明の実施の形態について詳細に説明したが、本発明は上記実施の形態に何ら限定されるものではなく、本発明の要旨を逸脱しない範囲で種々の改変が可能である。
【００４６】
上記実施形態から得られる具体的手段（遊技機）を以下に列挙する。
【００４７】
・手段１
複数種の識別図柄を含む識別図柄群が複数設定され、各識別図柄群から選択されて表示装置に示される識別図柄の組み合わせにより当否判定結果が報知される遊技機であって、ある前記識別図柄群に含まれる複数種の識別図柄のうちの一つである演出対象図柄が、当該識別図柄群から選択されて示される選択決定図柄となるか否かを示す図柄煽り演出が実行可能であり、前記図柄煽り演出にて前記演出対象図柄となりうる図柄として複数の候補図柄が設定されており、前記図柄煽り演出において前記複数の候補図柄のうちの一部である特定候補図柄が前記演出対象図柄となる蓋然性が、当該特定候補図柄以外の候補図柄である通常候補図柄が前記演出対象図柄となる蓋然性よりも低く設定されていることを特徴とする遊技機。
上記遊技機によれば、演出対象図柄となりうる複数の候補図柄が設定されているところ、特定候補図柄が演出対象図柄となる蓋然性が、特定候補図柄以外の候補図柄が演出対象図柄となる蓋然性よりも低く設定されている。つまり、「煽り」の対象となる図柄の種類に偏りがあることによる面白さがある。
【００４８】
・手段２
前記複数種の識別図柄には、所定の順が設定されており、ある前記識別図柄群から前記複数種の識別図柄のうちのいずれかである特定識別図柄が選択されることは、当該特定識別図柄以外の識別図柄が選択されることに比して遊技者に有利な事象として設定されており、前記図柄煽り演出は、前記演出対象図柄が前記選択決定図柄となることが成功結末として、前記所定の順で当該演出対象図柄となった識別図柄の一つ後の識別図柄が前記選択決定図柄となることが失敗結末として設定されており、前記特定候補図柄は、前記所定の順で前記特定識別図柄の一つ前の識別図柄であることを特徴とする手段１に記載の遊技機。
このようにすることで、図柄煽り演出の失敗結末が発生した結果、特定識別図柄が選択決定図柄として示されてしまう頻度を低くすることができる。そのため、当該特定識別図柄が「チャンス」図柄であると遊技者が感じにくくなってしまうおそれを低減することが可能である。
【００４９】
・手段３
前記図柄煽り演出において前記特定候補図柄が前記演出対象図柄となるとき、当該図柄煽り演出が前記失敗結末とならないように設定されていることを特徴とする手段２に記載の遊技機。
このようにすることで、図柄煽り演出の失敗結末が発生しても、特定識別図柄が選択決定図柄として示されてしまうことがなくなる。
【００５０】
・手段４
前記図柄煽り演出を経ずにある前記識別図柄群から前記特定識別図柄が選択されて示された場合には、特殊演出が発生することを特徴とする手段２または手段３に記載の遊技機。
このように、特定識別図柄は遊技者にとって「チャンス」図柄であることが特殊演出により示されるようにするとよい。
【符号の説明】
【００５１】
１  遊技機
１０  識別図柄
１０ｇ  識別図柄群
１１  主要素部
１２  副要素部
１０Ｔ  演出対象図柄
１０Ｃ  選択決定図柄
１０Ｋ  候補図柄
１０Ｋａ  特定候補図柄
１０Ｋｂ  通常候補図柄
１０Ｓ  特定識別図柄
１０Ｎ  通常識別図柄
９１  表示装置
９１１  表示領域
【図１】
2020000786.tif 000003
【図２】
2020000786.tif 000004
【図３】
2020000786.tif 000005
【図４】
2020000786.tif 000006
【図５】
2020000786.tif 000007
【図６】
2020000786.tif 000008
【図７】
2020000786.tif 000009